(57)【特許請求の範囲】
【請求項１】
移動装置に適用される無線ネットワークアクセス方法において、
前記方法は、
アクセス待ちＷＩＦＩ機器から送信された第１のブロードキャスティングメッセージを受信するステップと、
前記第１のブロードキャスティングメッセージに基づいて、前記アクセス待ちＷＩＦＩ機器が無線ネットワークに対するアクセスを要請することをユーザにプロンプトするためのプロンプト情報を生成するステップと、
ユーザが前記プロンプト情報に基づいて入力したフィードバック情報が検出されると、無線ルータが予め設定されたアクセス情報を含む第２のブロードキャスティングメッセージをブロードキャスティングするように指示するための要請メッセージを２種類以上の互換可能な送信周波数帯を持つ前記無線ルータに送信するステップと、
を含み、
前記第２のブロードキャスティングメッセージは、前記無線ルータにより同時に前記無線ルータの互換可能な送信周波数帯の全てに基づいて送信され、アクセス待ちＷＩＦＩ機器が前記第２のブロードキャスティングメッセージに含まれている前記予め設定されたアクセス情報に基づいて前記無線ルータにアクセスするようにすることを特徴とする無線ネットワークアクセス方法。
【請求項２】
前記方法は、
前記ユーザが前記プロンプト情報に基づいて物理的なキーボードを通じてトリガーした操作、またはタッチスクリーンを通じて前記移動装置のユーザインタフェースでトリガーした操作を受信するステップと、
前記操作に基づいて前記フィードバック情報を生成するステップと、
をさらに含むことを特徴とする請求項１に記載の無線ネットワークアクセス方法。
【請求項３】
前記第１のブロードキャスティングメッセージに基づいてプロンプト情報を生成するステップは、
前記第１のブロードキャスティングメッセージが前記アクセス待ちＷＩＦＩ機器が無線ネットワークにアクセスしようとすることを指示する場合、プロンプト情報を生成するステップと、
前記プロンプト情報をプッシュするステップと、
を含むことを特徴とする請求項１に記載の無線ネットワークアクセス方法。
【請求項４】
前記プロンプト情報をプッシュするステップは、
前記プロンプト情報が文字プロンプト情報である場合、前記プロンプト情報を表示するステップ、
前記プロンプト情報が音声プロンプト情報である場合、前記音声プロンプト情報を再生するステップ、
前記プロンプト情報が光プロンプト情報である場合、予め設定された種類の光信号を放出するステップ、
前記プロンプト情報が振動プロンプト情報である場合、予め設定された周波数に応じて振動指示を発するステップを含むことを特徴とする請求項３に記載の無線ネットワークアクセス方法。
【請求項５】
前記方法は、
前記移動装置が前記無線ルータにアクセスしているか否かを特定するステップと、
前記移動装置が前記無線ルータにアクセスしていない場合、前記移動装置が前記無線ルータにアクセスし、前記無線ルータに要請メッセージを送信するステップを実行するように制御するステップと、
をさらに含むことを特徴とする請求項１に記載の無線ネットワークアクセス方法。
【請求項６】
２種類以上の互換可能な送信周波数帯を持つ無線ルータに適用される無線ネットワークアクセス方法において、
前記方法は、
移動装置から送信された要請メッセージを受信するステップと、
前記要請メッセージに基づいて、前記無線ルータにアクセスする予め設定されたアクセス情報が含まれている第２のブロードキャスティングメッセージを生成するステップと、
同時に前記無線ルータの互換可能な送信周波数帯の全てに基づいて前記第２のブロードキャスティングメッセージを送信して、アクセス待ちＷＩＦＩ機器が前記第２のブロードキャスティングメッセージに含まれている前記予め設定されたアクセス情報に基づいて前記無線ルータにアクセスするようにするステップと、
を含むことを特徴とする無線ネットワークアクセス方法。
【請求項７】
前記方法は、
アクセス待ちＷＩＦＩ機器から送信された、前記予め設定されたアクセス情報が含まれているアクセス要請メッセージを受信するステップと、
前記アクセス待ちＷＩＦＩ機器にＩＰアドレスを割り当てて、前記アクセス待ちＷＩＦＩ機器が前記ＩＰアドレスに基づいて無線ネットワークにアクセスするようにするステップと、
をさらに含むことを特徴とする請求項６に記載の無線ネットワークアクセス方法。
【請求項８】
移動装置に適用される無線ネットワークアクセス装置において、
前記装置は、
アクセス待ちＷＩＦＩ機器から送信された第１のブロードキャスティングメッセージを受信するように構成される第１の受信モジュールと、
前記第１の受信モジュールにより受信された前記第１のブロードキャスティングメッセージに基づいて、前記アクセス待ちＷＩＦＩ機器が無線ネットワークに対するアクセスを要請することをユーザにプロンプトするためのプロンプト情報を生成するように構成されるプロンプトモジュールと、
ユーザがプロンプトモジュールにより生成された前記プロンプト情報に基づいて入力したフィードバック情報が検出されると、無線ルータが予め設定されたアクセス情報を含む第２のブロードキャスティングメッセージをブロードキャスティングするように指示するための要請メッセージを２種類以上の互換可能な送信周波数帯を持つ前記無線ルータに送信するように構成される第１の送信モジュールと、
を含み、
前記第２のブロードキャスティングメッセージは、前記無線ルータにより同時に前記無線ルータの互換可能な送信周波数帯の全てに基づいて送信され、アクセス待ちＷＩＦＩ機器が前記第２のブロードキャスティングメッセージに含まれている前記予め設定されたアクセス情報に基づいて前記無線ルータにアクセスするようにすることを特徴とする無線ネットワークアクセス装置。
【請求項９】
前記装置は、
前記ユーザが前記プロンプト情報に基づいて物理的なキーボードを通じてトリガーした操作、またはタッチスクリーンを通じて前記移動装置のユーザインタフェースでトリガーした操作を受信するように構成される第２の受信モジュールと、
前記第２の受信モジュールにより受信された前記操作に基づいて前記フィードバック情報を生成するように構成されるフィードバックモジュールと、
をさらに含むことを特徴とする請求項８に記載の無線ネットワークアクセス装置。
【請求項１０】
前記プロンプトモジュールは、
前記第１の受信モジュールにより受信された前記第１のブロードキャスティングメッセージが、前記アクセス待ちＷＩＦＩ機器が無線ネットワークにアクセスしようとすることを指示する場合、プロンプト情報を生成するように構成される生成サブモジュールと、
前記生成サブモジュールにより生成された前記プロンプト情報をプッシュするように構成されるプッシュサブモジュールと、
を含むことを特徴とする請求項８に記載の無線ネットワークアクセス装置。
【請求項１１】
前記プッシュサブモジュールは、
前記生成サブモジュールにより生成された前記プロンプト情報が文字プロンプト情報である場合、前記プロンプト情報を表示するように構成される表示サブモジュールと、
前記生成サブモジュールにより生成された前記プロンプト情報が音声プロンプト情報である場合、前記音声プロンプト情報を再生するように構成される再生サブモジュールと、
前記生成サブモジュールにより生成された前記プロンプト情報が光プロンプト情報である場合、予め設定された種類の光信号を放出するように構成される放出サブモジュールと、
前記生成サブモジュールにより生成された前記プロンプト情報が振動プロンプト情報である場合、予め設定された周波数に応じて振動指示を発するように構成される振動サブモジュールと、
を含むことを特徴とする請求項１０に記載の無線ネットワークアクセス装置。
【請求項１２】
前記装置は、
前記移動装置が前記無線ルータにアクセスしているか否かを特定するように構成される特定モジュールと、
前記特定モジュールにより前記移動装置が前記無線ルータにアクセスしていないと特定された場合、前記移動装置が前記無線ルータにアクセスし、前記第１の送信モジュールが前記無線ルータに要請メッセージを送信するステップを実行するように制御するように構成されるネットワークアクセスモジュールと、
をさらに含むことを特徴とする請求項８に記載の無線ネットワークアクセス装置。
【請求項１３】
２種類以上の互換可能な送信周波数帯を持つ無線ルータに適用される無線ネットワークアクセス装置において、
前記装置は、
移動装置から送信された要請メッセージを受信するように構成される第３の受信モジュールと、
前記第３の受信モジュールにより受信された前記要請メッセージに基づいて、前記無線ルータにアクセスする予め設定されたアクセス情報が含まれている第２のブロードキャスティングメッセージを生成するように構成されるブロードキャスティングモジュールと、
同時に前記無線ルータの互換可能な送信周波数帯の全てに基づいて、前記ブロードキャスティングモジュールにより生成された前記第２のブロードキャスティングメッセージを送信して、アクセス待ちＷＩＦＩ機器が前記第２のブロードキャスティングメッセージに含まれている前記予め設定されたアクセス情報に基づいて前記無線ルータにアクセスするように構成される第２の送信モジュールと、
を含むことを特徴とする無線ネットワークアクセス装置。
【請求項１４】
前記装置は、
アクセス待ちＷＩＦＩ機器から送信された、前記ブロードキャスティングモジュールにより生成された前記第２のブロードキャスティングメッセージに含まれている前記予め設定されたアクセス情報を含むアクセス要請メッセージを受信するように構成される第４の受信モジュールと、
前記アクセス待ちＷＩＦＩ機器にＩＰアドレスを割り当てて、前記アクセス待ちＷＩＦＩ機器が前記ＩＰアドレスに基づいて無線ネットワークにアクセスするように構成されるアドレス割り当てモジュールと、
をさらに含むことを特徴とする請求項１３に記載の無線ネットワークアクセス装置。
【請求項１５】
移動装置に適用される無線ネットワークアクセス装置において、
前記装置は、
プロセッサと、
前記プロセッサにより実行可能な命令を記憶するためのメモリと、
を含み、
前記プロセッサは、
アクセス待ちＷＩＦＩ機器から送信された第１のブロードキャスティングメッセージを受信し、
前記第１のブロードキャスティングメッセージに基づいて、前記アクセス待ちＷＩＦＩ機器が無線ネットワークに対するアクセスを要請することをユーザにプロンプトするためのプロンプト情報を生成し、
ユーザが前記プロンプト情報に基づいて入力したフィードバック情報が検出されると、無線ルータが予め設定されたアクセス情報を含む第２のブロードキャスティングメッセージをブロードキャスティングするように指示するための要請メッセージを２種類以上の互換可能な送信周波数帯を持つ前記無線ルータに送信するように構成され、
前記第２のブロードキャスティングメッセージは、前記無線ルータにより同時に前記無線ルータの互換可能な送信周波数帯の全てに基づいて送信され、アクセス待ちＷＩＦＩ機器が前記第２のブロードキャスティングメッセージに含まれている前記予め設定されたアクセス情報に基づいて前記無線ルータにアクセスするようにすることを特徴とする無線ネットワークアクセス装置。
【請求項１６】
２種類以上の互換可能な送信周波数帯を持つ無線ルータに適用される無線ネットワークアクセス装置において、
前記装置は、
プロセッサと、
前記プロセッサにより実行可能な命令を記憶するためのメモリと、
を含み、
前記プロセッサは、
移動装置から送信された要請メッセージを受信し、
前記要請メッセージに基づいて、前記無線ルータにアクセスする予め設定されたアクセス情報が含まれている第２のブロードキャスティングメッセージを生成し、
同時に前記無線ルータの互換可能な送信周波数帯の全てに基づいて前記第２のブロードキャスティングメッセージを送信して、アクセス待ちＷＩＦＩ機器が前記第２のブロードキャスティングメッセージに含まれている前記予め設定されたアクセス情報に基づいて前記無線ルータにアクセスするように構成されることを特徴とする無線ネットワークアクセス装置。
【請求項１７】
プロセッサに実行されることにより、請求項１から請求項５のいずれかに記載の方法を実現する記録媒体に記録されたプログラム。
【請求項１８】
プロセッサに実行されることにより、請求項６または７に記載の方法を実現する記録媒体に記録されたプログラム。
【請求項１９】
請求項１７に記載のプログラムが記録された記録媒体。
【請求項２０】
請求項１８に記載のプログラムが記録された記録媒体。
【発明の詳細な説明】
【相互参照】
【０００１】
本願は、出願番号がＣＮ２０１６１０３３８９９７．０であって、出願日が２０１６年５月１９日である中国特許出願に基づき優先権を主張し、当該中国特許出願のすべての内容を本願に援用する。
【技術分野】
【０００２】
本発明は、無線ネットワークの技術分野に関するものであって、特に、無線ネットワークアクセス方法、装置、プログラム及び記録媒体に関するものである。
【背景技術】
【０００３】
無線ネットワークの普及につれて、ワイファイ（Ｗｉｒｅｌｅｓｓ Ｆｉｄｅｌｉｔｙ，ＷＩＦＩ）がますます重要になっており、一部のＷＩＦＩ機器（例えば、ＷＩＦＩスマートコンセント、ＷｉＦｉスマート電灯など）に、有効な入力インタフェースを有していないため、ＷＩＦＩ機器が１つの無線ルータにより提供されるＬＡＮに初めてアクセスするとき、ユーザは、直接ＷＩＦＩ機器において操作して、ＷＩＦＩ機器が指定の無線ルータにアクセスするように制御することができない。また、ＷＩＦＩ機器が一種類の周波数帯でしか動作できないのに、アクセスしようとする無線ルータがデュアルバンドルータである場合、ＷＩＦＩ機器がデュアルバンドルータからブロードキャスティングされるメッセージを受信できなくなる可能性があり、さらに、ＷＩＦＩ機器が無線ネットワークに成功的にアクセスできなくなり、ユーザ体験があまり良くない。
【発明の概要】
【発明が解決しようとする課題】
【０００４】
関連技術に存在する問題を克服するために、本発明の実施例は、有効な入力インタフェースを有していないアクセス待ちＷＩＦＩ機器の無線ネットワークに対するアクセスを実現する無線ネットワークアクセス方法、装置、プログラム及び記録媒体を提供する。
【課題を解決するための手段】
【０００５】
本発明の実施例の第１の局面によると、移動装置に適用される無線ネットワークアクセス方法を提供し、
アクセス待ちＷＩＦＩ機器から送信された第１のブロードキャスティングメッセージを受信するステップと、
前記第１のブロードキャスティングメッセージに基づいて、前記アクセス待ちＷＩＦＩ機器が無線ネットワークに対するアクセスを要請することをユーザにプロンプトするためのプロンプト情報を生成するステップと、
ユーザが前記プロンプト情報に基づいて入力したフィードバック情報が検出されると、無線ルータが予め設定されたアクセス情報を含む第２のブロードキャスティングメッセージをブロードキャスティングするように指示するための要請メッセージを前記無線ルータに送信するステップと、
を含んでもよい。
【０００６】
１つの実施例において、前記方法は、
前記ユーザが前記プロンプト情報に基づいて物理的なキーボードを通じてトリガーした操作、またはタッチスクリーンを通じて前記移動装置のユーザインタフェースでトリガーした操作を受信するステップと、
前記操作に基づいて前記フィードバック情報を生成するステップと、
をさらに含んでもよい。
【０００７】
１つの実施例において、前記第１のブロードキャスティングメッセージに基づいてプロンプト情報を生成するステップは、
前記第１のブロードキャスティングメッセージが前記アクセス待ちＷＩＦＩ機器が無線ネットワークにアクセスしようとすることを指示する場合、プロンプト情報を生成するステップと、
前記プロンプト情報をプッシュするステップと、
を含んでもよい。
【０００８】
１つの実施例において、前記プロンプト情報をプッシュするステップは、
前記プロンプト情報が文字プロンプト情報である場合、前記プロンプト情報を表示するステップ、
前記プロンプト情報が音声プロンプト情報である場合、前記音声プロンプト情報を再生するステップ、
前記プロンプト情報が光プロンプト情報である場合、予め設定された種類の光信号を放出するステップ、
前記プロンプト情報が振動プロンプト情報である場合、予め設定された周波数に応じて振動指示を発するステップを含んでもよい。
【０００９】
１つの実施例において、前記方法は、
前記移動装置が前記無線ルータにアクセスしているか否かを特定するステップと、
前記移動装置が前記無線ルータにアクセスしていない場合、前記移動装置が前記無線ルータにアクセスし、前記無線ルータに要請メッセージを送信するステップを実行するように制御するステップと、
をさらに含んでもよい。
【００１０】
本発明の実施例の第２の局面によると、無線ルータに適用される無線ネットワークアクセス方法を提供し、
前記方法は、
移動装置から送信された要請メッセージを受信するステップと、
前記要請メッセージに基づいて、前記無線ルータにアクセスする予め設定されたアクセス情報が含まれている第２のブロードキャスティングメッセージを生成するステップと、
予め設定された送信周波数帯に基づいて前記第２のブロードキャスティングメッセージを送信して、アクセス待ちＷＩＦＩ機器が前記第２のブロードキャスティングメッセージに含まれている前記予め設定されたアクセス情報に基づいて前記無線ルータにアクセスするようにするステップと、
を含んでもよい。
【００１１】
１つの実施例において、前記２種類以上の予め設定された送信周波数帯に基づいて前記第２のブロードキャスティングメッセージを送信するステップは、
前記無線ルータの互換可能な動作周波数帯を前記予め設定された送信周波数帯として特定するステップと、
前記予め設定された送信周波数帯に基づいて前記第２のブロードキャスティングメッセージを送信するステップと、
を含んでもよい。
【００１２】
１つの実施例において、前記方法は、
アクセス待ちＷＩＦＩ機器から送信された、前記予め設定されたアクセス情報が含まれているアクセス要請メッセージを受信するステップと、
前記アクセス待ちＷＩＦＩ機器にＩＰアドレスを割り当てて、前記アクセス待ちＷＩＦＩ機器が前記ＩＰアドレスに基づいて無線ネットワークにアクセスするようにするステップと、
をさらに含んでもよい。
【００１３】
本発明の実施例の第３の局面によると、移動装置に適用される無線ネットワークアクセス装置を提供し、
前記装置は、
アクセス待ちＷＩＦＩ機器から送信された第１のブロードキャスティングメッセージを受信するように構成される第１の受信モジュールと、
前記第１の受信モジュールにより受信された前記第１のブロードキャスティングメッセージに基づいて、前記アクセス待ちＷＩＦＩ機器が無線ネットワークに対するアクセスを要請することをユーザにプロンプトするためのプロンプト情報を生成するように構成されるプロンプトモジュールと、
ユーザがプロンプトモジュールにより生成された前記プロンプト情報に基づいて入力したフィードバック情報が検出されると、無線ルータが予め設定されたアクセス情報を含む第２のブロードキャスティングメッセージをブロードキャスティングするように指示するための要請メッセージを前記無線ルータに送信するように構成される第１の送信モジュールと、
を含んでもよい。
【００１４】
１つの実施例において、前記装置は、
前記ユーザが前記プロンプト情報に基づいて物理的なキーボードを通じてトリガーした操作、またはタッチスクリーンを通じて前記移動装置のユーザインタフェースでトリガーした操作を受信するように構成される第２の受信モジュールと、
前記第２の受信モジュールにより受信された前記操作に基づいて前記フィードバック情報を生成するように構成されるフィードバックモジュールと、
をさらに含んでもよい。
【００１５】
１つの実施例において、前記プロンプトモジュールは、
前記第１の受信モジュールにより受信された前記第１のブロードキャスティングメッセージが、前記アクセス待ちＷＩＦＩ機器が無線ネットワークにアクセスしようとすることを指示する場合、プロンプト情報を生成するように構成される生成サブモジュールと、
前記生成サブモジュールにより生成された前記プロンプト情報をプッシュするように構成されるプッシュサブモジュールと、
を含んでもよい。
【００１６】
１つの実施例において、前記プッシュサブモジュールは、
前記生成サブモジュールにより生成された前記プロンプト情報が文字プロンプト情報である場合、前記プロンプト情報を表示するように構成される表示サブモジュールと、
前記生成サブモジュールにより生成された前記プロンプト情報が音声プロンプト情報である場合、前記音声プロンプト情報を再生するように構成される再生サブモジュールと、
前記生成サブモジュールにより生成された前記プロンプト情報が光プロンプト情報である場合、予め設定された種類の光信号を放出するように構成される放出サブモジュールと、
前記生成サブモジュールにより生成された前記プロンプト情報が振動プロンプト情報である場合、予め設定された周波数に応じて振動指示を発するように構成される振動サブモジュールと、
を含んでもよい。
【００１７】
１つの実施例において、前記装置は、
前記移動装置が前記無線ルータにアクセスしているか否かを特定するように構成される特定モジュールと、
前記特定モジュールにより前記移動装置が前記無線ルータにアクセスしていないと特定された場合、前記移動装置が前記無線ルータにアクセスし、前記第１の送信モジュールが前記無線ルータに要請メッセージを送信するステップを実行するように制御するように構成されるネットワークアクセスモジュールと、
をさらに含んでもよい。
【００１８】
本発明の実施例の第４の局面によると、無線ルータに適用される無線ネットワークアクセス装置を提供し、
前記装置は、
移動装置から送信された要請メッセージを受信するように構成される第３の受信モジュールと、
前記第３の受信モジュールにより受信された前記要請メッセージに基づいて、前記無線ルータにアクセスする予め設定されたアクセス情報が含まれている第２のブロードキャスティングメッセージを生成するように構成されるブロードキャスティングモジュールと、
予め設定された送信周波数帯に基づいて、前記ブロードキャスティングモジュールにより生成された前記第２のブロードキャスティングメッセージを送信して、アクセス待ちＷＩＦＩ機器が前記第２のブロードキャスティングメッセージに含まれている前記予め設定されたアクセス情報に基づいて前記無線ルータにアクセスするように構成される第２の送信モジュールと、
を含んでもよく、
ここで、前記２種類以上の予め設定された送信周波数は、異なる動作周波数帯に位置する。
【００１９】
１つの実施例において、前記第２の送信モジュールは、
前記無線ルータの互換可能な動作周波数帯を前記予め設定された送信周波数帯として特定するように構成される周波数帯特定サブモジュールと、
前記周波数帯特定サブモジュールにより特定された前記予め設定された送信周波数帯に基づいて前記第２のブロードキャスティングメッセージを送信するように構成される送信サブモジュールと、
を含んでもよい。
【００２０】
１つの実施例において、前記装置は、
アクセス待ちＷＩＦＩ機器から送信された、前記ブロードキャスティングモジュールにより生成された前記第２のブロードキャスティングメッセージに含まれている前記予め設定されたアクセス情報を含むアクセス要請メッセージを受信するように構成される第４の受信モジュールと、
前記アクセス待ちＷＩＦＩ機器にＩＰアドレスを割り当てて、前記アクセス待ちＷＩＦＩ機器が前記ＩＰアドレスに基づいて無線ネットワークにアクセスするように構成されるアドレス割り当てモジュールと、
をさらに含んでもよい。
【００２１】
本発明の実施例の第５の局面によると、移動装置に適用される無線ネットワークアクセス装置を提供し、
前記装置は、
プロセッサと、
前記プロセッサにより実行可能な命令を記憶するためのメモリと、
を含んでもよく、
前記プロセッサは、
アクセス待ちＷＩＦＩ機器から送信された第１のブロードキャスティングメッセージを受信し、
前記第１のブロードキャスティングメッセージに基づいて、前記アクセス待ちＷＩＦＩ機器が無線ネットワークに対するアクセスを要請することをユーザにプロンプトするためのプロンプト情報を生成し、
ユーザが前記プロンプト情報に基づいて入力したフィードバック情報が検出されると、無線ルータが予め設定されたアクセス情報を含む第２のブロードキャスティングメッセージをブロードキャスティングするように指示するための要請メッセージを前記無線ルータに送信するように構成される。
【００２２】
本発明の実施例の第６の局面によると、無線ルータに適用される無線ネットワークアクセス装置を提供し、
前記装置は、
プロセッサと、
前記プロセッサにより実行可能な命令を記憶するためのメモリと、
を含んでもよく、
前記プロセッサは、
移動装置から送信された要請メッセージを受信し、
前記要請メッセージに基づいて、前記無線ルータにアクセスする予め設定されたアクセス情報が含まれている第２のブロードキャスティングメッセージを生成し、
予め設定された送信周波数帯に基づいて前記第２のブロードキャスティングメッセージを送信して、アクセス待ちＷＩＦＩ機器が前記第２のブロードキャスティングメッセージに含まれている前記予め設定されたアクセス情報に基づいて前記無線ルータにアクセスするように構成される。
本発明の実施例に係る第７の局面によると、プロセッサに実行されることにより、前記方法を実現する記録媒体に記録されたプログラムを提供する。
本発明の実施例に係る第８の局面によると、前記プログラムが記録された記録媒体を提供する。
【発明の効果】
【００２３】
本発明の実施例に係る技術案は、下記の有益な効果を有することができる。移動装置は、アクセス待ちＷＩＦＩ機器から内装されているＷＩＦＩチップを通じて送信された第１のブロードキャスティングメッセージを受信した後、アクセス待ちＷＩＦＩ機器が現在無線ネットワークにアクセスしようとすることをユーザにプロンプトするためのプロンプト情報を生成することができ、移動装置は、ユーザが当該プロンプト情報に基づいて入力したフィードバック情報を検出すると、無線ルータに要請メッセージを送信して、無線ルータが予め設定されたアクセス情報を含む第２のブロードキャスティングメッセージを送信するように要請することができ、無線ルータは、予め設定された送信周波数帯に基づいて第２のブロードキャスティングメッセージを送信することができ、アクセス待ちＷＩＦＩ機器は、当該第２のブロードキャスティングメッセージを受信すると、予め設定されたアクセス情報に基づいて無線ルータにアクセスすることができ、移動装置を通じてアクセス待ちＷＩＦＩ機器が無線ネットワークにアクセスするように助けることを実現し、有効な入力インタフェースを有していないＷＩＦＩ機器が指定の無線ルータにアクセスできない問題を避ける。また、無線ルータが予め設定された送信周波数帯に基づいて第２のブロードキャスティングメッセージを送信できるため、一種類の周波数帯でしか動作できないアクセス待ちＷＩＦＩ機器がデュアルバンドルータから送信されるブロードキャスティングメッセージを受信できない可能性があり、さらに、無線ルータにアクセスできなくなる問題を解決する。
【００２４】
また、様々な種類のプロンプト情報を生成し、プッシュすることによって、ユーザがすぐに当該プロンプト情報を処理するように確保することができ、さらに、アクセス待ちＷＩＦＩ機器が無線ネットワークにアクセスする効率を向上させ、ユーザ体験を最適化する。
【００２５】
無線ルータの互換可能な動作周波数帯を予め設定された送信周波数帯として特定することによって、無線ルータが互換可能なすべての動作周波数帯に基づいて第２のブロードキャスティングメッセージを送信することを実現することができ、さらに、一種類の動作周波数帯のみをサポートするアクセス待ちＷＩＦＩ機器が、無線ルータがアクセス待ちＷＩＦＩ機器の動作周波数帯と異なる送信周波数帯のみに基づいて第２のブロードキャスティングメッセージを送信するときに、アクセス待ちＷＩＦＩ機器が無線ルータにアクセスできない問題を避ける。例えば、アクセス待ちＷＩＦＩ機器が２．４Ｇ動作周波数帯でしか動作できないのに、無線ルータの互換可能な動作周波数帯が２．４Ｇと５Ｇである場合、無線ルータは、同時に２．４Ｇと５Ｇの動作周波数帯に基づいて第２のブロードキャスティングメッセージを送信することができる。従って、アクセス待ちＷＩＦＩ機器は、２．４Ｇの第２のブロードキャスティングメッセージを受信すると、当該第２のブロードキャスティングメッセージに基づいて無線ルータにアクセスすることができる。
【００２６】
以上の一般的な記述と、以下の詳細の記述は、ただ例示的なものであって、本発明を限定するものではないことを理解すべきである。
【図面の簡単な説明】
【００２７】
ここの図面は、明細書に組み入れて本明細書の一部分を構成し、本発明に合致する実施例を例示するとともに、明細書とともに本発明の原理を解釈するために用いられる。
【００２８】
【図１Ａ】１つの例示的な実施例に示される無線ネットワークアクセス方法のフローチャートである。
【図１Ｂ】１つの例示的な実施例に示される無線ネットワークアクセス方法の応用場面図である。
【図２Ａ】１つの例示的な第１の実施例に示される無線ネットワークアクセス方法のフローチャートである。
【図２Ｂ】１つの例示的な第１の実施例に示される移動装置が無線ルータにアクセスするフローチャートである。
【図３】１つの例示的な第２の実施例に示される無線ネットワークアクセス方法のフローチャートである。
【図４】１つの例示的な第３の実施例に示される無線ネットワークアクセス方法のフローチャートである。
【図５】１つの例示的な実施例に示される無線ネットワークアクセス装置のブロック図である。
【図６】１つの例示的な実施例に示される別の無線ネットワークアクセス装置のブロック図である。
【図７】１つの例示的な実施例に示されるさらに別の無線ネットワークアクセス装置のブロック図である。
【図８】１つの例示的な実施例に示されるさらに別の無線ネットワークアクセス装置のブロック図である。
【図９】１つの例示的な実施例に示される無線ネットワークアクセス装置に適用されるブロック図である。
【発明を実施するための形態】
【００２９】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００３０】
図１Ａは、１つの例示的な実施例に示される無線ネットワークアクセス方法のフローチャートであり、図１Ｂは、１つの例示的な実施例に示される無線ネットワークアクセス方法の応用場面図であり、当該無線ネットワークアクセス方法は、移動装置（例えば、スマートフォン、タブレットＰＣ）に適用可能であり、図１Ａに示されたように、当該無線ネットワークアクセス方法は、下記のステップを含む。
【００３１】
ステップ１０１において、アクセス待ちＷＩＦＩ機器から送信された第１のブロードキャスティングメッセージを受信する。
【００３２】
１つの実施例において、アクセス待ちＷＩＦＩ機器は、内装されたＷＩＦＩチップを通じて第１のブロードキャスティングメッセージを送信することができる。
【００３３】
１つの実施例において、アクセス待ちＷＩＦＩ機器は、スマートコンセント、スマート電灯などであってもよい。
【００３４】
１つの実施例において、アクセス待ちＷＩＦＩ機器は、一種類の動作周波数帯のみをサポートしてもよく、二種類以上の動作周波数帯をサポートしてもよい。
【００３５】
ステップ１０２において、第１のブロードキャスティングメッセージに基づいてプロンプト情報を生成する。
【００３６】
１つの実施例において、プロンプト情報は、アクセス待ちＷＩＦＩ機器が無線ネットワークに対するアクセスを要請することをユーザにプロンプトするために用いられる。
【００３７】
１つの実施例において、当該プロンプト情報は、文字プロンプト情報であってもよく、別の実施例において、当該プロンプト情報は、音声プロンプト情報であってもよく、さらに別の実施例において、当該プロンプト情報は、光プロンプト情報であってもよく、さらに別の実施例において、当該プロンプト情報は、振動プロンプト情報であってもよく、さらに別の実施例において、当該プロンプト情報は、文字プロンプト情報、音声プロンプト情報、光プロンプト情報、振動プロンプト情報のうちのいずれかの２つ以上からなるプロンプト情報であってもよい。
【００３８】
ステップ１０３において、ユーザがプロンプト情報に基づいて入力したフィードバック情報が検出されると、無線ルータに要請メッセージを送信する。
【００３９】
１つの実施例において、要請メッセージは、無線ルータが予め設定されたアクセス情報を含む第２のブロードキャスティングメッセージをブロードキャスティングするように指示するために用いられる。
【００４０】
１つの実施例において、予め設定されたアクセス情報は、無線ルータのサービスセット識別子（Ｓｅｒｖｉｃｅ Ｓｅｔ Ｉｄｅｎｔｉｆｉｅｒ，ＳＳＩＤ）、及び無線ルータにアクセスするユーザパスワードであってもよい。例えば、ＳＳＩＤは、ｇｕａｎｇｂｏであり、ユーザパスワードは、１３６８３１６である。
【００４１】
図１Ｂに示されたように、図１Ｂにおいては、アクセス待ちＷＩＦＩ機器１２０がスマートスイッチである場合を例として例示的な説明を行い、移動装置１１０は、アクセス待ちＷＩＦＩ機器１２０から送信された第１のブロードキャスティングメッセージを受信すると、ユーザによりトリガーされた操作に基づいて、アクセス待ちＷＩＦＩ機器１２０がアクセスしようとする無線ルータ１３０を特定し、その後、無線ルータ１３０に要請メッセージを送信して、無線ルータ１３０が第２のブロードキャスティングメッセージを送信するように要請する。第２のブロードキャスティングメッセージには、予め設定されたアクセス情報、例えば無線ルータのＳＳＩＤとユーザパスワードが含まれており、無線ルータ１３０は、互換可能なすべての動作周波数帯に基づいて第２のブロードキャスティングメッセージを送信することによって、アクセス待ちＷＩＦＩ機器１２０が自分と互換可能な動作周波数帯の第２のブロードキャスティングメッセージを受信し、さらに、予め設定されたアクセス情報に基づいて無線ルータ１３０に対するアクセスを要請するようにすることができる。
【００４２】
本実施例において、移動装置は、アクセス待ちＷＩＦＩ機器から内装されているＷＩＦＩチップを通じて送信された第１のブロードキャスティングメッセージを受信した後、アクセス待ちＷＩＦＩ機器が現在無線ネットワークにアクセスしようとすることをユーザにプロンプトするためのプロンプト情報を生成することができ、移動装置は、ユーザが当該プロンプト情報に基づいて入力したフィードバック情報を検出すると、無線ルータに要請メッセージを送信して、無線ルータが予め設定されたアクセス情報を含む第２のブロードキャスティングメッセージを送信するように要請することができ、移動装置を通じてアクセス待ちＷＩＦＩ機器が無線ネットワークにアクセスするように助けることを実現し、有効な入力インタフェースを有していないＷＩＦＩ機器が指定の無線ルータにアクセスできない問題を避ける。
【００４３】
１つの実施例において、方法は、
ユーザがプロンプト情報に基づいて物理的なキーボードを通じてトリガーした操作、またはタッチスクリーンを通じて移動装置のユーザインタフェースでトリガーした操作を受信するステップと、
操作に基づいてフィードバック情報を生成するステップと、をさらに含んでもよい。
【００４４】
１つの実施例において、第１のブロードキャスティングメッセージに基づいてプロンプト情報を生成するステップは、
第１のブロードキャスティングメッセージが、アクセス待ちＷＩＦＩ機器が無線ネットワークにアクセスしようとすることを指示する場合、プロンプト情報を生成するステップと、
プロンプト情報をプッシュするステップと、を含んでもよい。
【００４５】
１つの実施例において、プロンプト情報をプッシュするステップは、
プロンプト情報が文字プロンプト情報である場合、プロンプト情報を表示するステップと、
プロンプト情報が音声プロンプト情報である場合、音声プロンプト情報を再生するステップと、
プロンプト情報が光プロンプト情報である場合、予め設定された種類の光信号を放出するステップと、
プロンプト情報が振動プロンプト情報である場合、予め設定された周波数に応じて振動指示を発するステップと、を含んでもよい。
【００４６】
１つの実施例において、方法は、
移動装置が無線ルータにアクセスし、無線ルータに要請メッセージを送信するステップを実行するように制御するステップをさらに含んでもよい。
【００４７】
無線ネットワークに如何にアクセスするかは、後続の実施例を参照すればよい。
【００４８】
以上、本発明の実施例に係る上記の方法は、有効な入力インタフェースを有していないＷＩＦＩ機器が指定の無線ルータにアクセスできないことを移動装置が助けるということを実現することができ、ユーザ体験を最適化する。
【００４９】
下記に、実施例を通じて本発明の実施例に係る技術案を説明する。
【００５０】
図２Ａは、１つの例示的な第１の実施例に示される無線ネットワークアクセス方法のフローチャートであり、図２Ｂは、１つの例示的な第１の実施例に示される移動装置が無線ルータにアクセスするフローチャートであり、本実施例は、本発明の実施例に係る上記の方法を利用して、２．４Ｇ周波数帯のみをサポートするアクセス待ちＷＩＦＩ機器が２．４Ｇと５Ｇ動作周波数帯で互換可能な無線ルータにアクセスするように移動装置が助けることを例として例示的な説明を行い、図２に示されたように、下記のステップを含む。
【００５１】
ステップ２０１において、アクセス待ちＷＩＦＩ機器から送信された第１のブロードキャスティングメッセージを受信する。
【００５２】
ステップ２０１の関連記述は、図１Ａの実施例のステップ１０１の記述を参照すればよい。
【００５３】
ステップ２０２において、第１のブロードキャスティングメッセージに基づいてプロンプト情報を生成する。
【００５４】
１つの実施例において、プロンプト情報は、アクセス待ちＷＩＦＩ機器が無線ネットワークに対するアクセスを要請することをユーザにプロンプトするために用いられる。
【００５５】
１つの実施例において、プロンプト情報が文字プロンプト情報である場合、プロンプト情報を表示する。例えば、表示インタフェースに「スマート電灯が無線ネットワークに接続されていない。スマート電灯が無線ネットワークに接続するように助けるか否かを確認ください」という文字情報を表示することができる。プロンプト情報が音声プロンプト情報である場合、音声プロンプト情報を再生する。例えば、文字音声情報を再生するか音楽提示音を再生することができる。プロンプト情報が光プロンプト情報である場合、予め設定された種類の光信号を放出する。例えば、強度が強い光信号または点滅光信号などを放出する。プロンプト情報が振動プロンプト情報である場合、予め設定された周波数に応じて振動指示を発する。例えば、０．５秒おきに１秒間の振動を発するか、または１秒おきに２秒間の連続の振動を発する。
【００５６】
ステップ２０３において、ユーザがプロンプト情報に基づいて入力した操作を受信する。
【００５７】
１つの実施例において、移動装置は、ユーザが物理的なキーボードを通じてトリガーした操作を受信することができる。
【００５８】
別の実施例において、移動装置は、ユーザがタッチスクリーンを通じて移動装置のユーザインタフェースでトリガーした操作を受信することができる。
【００５９】
ステップ２０４において、操作に基づいてフィードバック情報を生成する。
【００６０】
移動装置は、ユーザによりトリガーされた操作を受信した後、対応するフィードバック情報を生成することができる。例えば、移動装置のユーザインタフェースに「スマート電灯が無線ネットワークに接続されていない。スマート電灯が無線ネットワークに接続するように助けるか否かを確認ください」というプロンプト情報を表示し、ユーザがタッチスクリーンを通じて「はい」ボタンを一回クリックしたことが検出されると、移動装置は、ユーザが「はい」ボタンを一回クリックした操作に基づいて、「スマート機器が無線ネットワークにアクセスするように助ける」というフィードバック情報を生成する。
【００６１】
ステップ２０５において、移動装置が無線ルータにアクセスしているか否かを特定し、移動装置が無線ルータにアクセスしていない場合、ステップ２０６を実行し、移動装置が無線ルータにアクセスしている場合、ステップ２０７を実行する。
【００６２】
ステップ２０６において、移動装置が無線ルータにアクセスし、ステップ２０７を実行するように制御する。
【００６３】
１つの実施例において、ステップ２０６に関する詳細な記述は、図２Ｂを参照すればよく、図２Ｂに示されたように、下記のステップを含む。
【００６４】
ステップ２１１において、ユーザによりトリガーされたネットワークアクセス操作命令を受信する。
【００６５】
ステップ２１２において、スキャンして現在アクセス可能な無線ルータ機器を特定する。
【００６６】
ステップ２１３において、現在アクセス可能な無線ルータのリストを表示する。
【００６７】
ステップ２１４において、ユーザによりトリガーされた、リストから無線ルータを選択する選択操作命令を受信する。
【００６８】
１つの実施例において、リストに表示される無線ルータ機器は、移動装置との距離が予め設定された距離以内の無線ルータ機器を含んでもよく、ユーザは、アクセス待ちＷＩＦＩ機器がアクセス可能な無線ルータを選択してアクセスすることができる。
【００６９】
ステップ２１５において、無線ルータにアクセス要請メッセージを送信する。
【００７０】
１つの実施例において、アクセス要請メッセージには、予め設定されたアクセス情報が含まれている。
【００７１】
１つの実施例において、予め設定されたアクセス情報には、無線ルータのＳＳＩＤナンバーとユーザパスワードが含まれてもよい。
【００７２】
ステップ２１６において、無線ルータにより割り当てられたＩＰアドレスに基づいて無線ルータにアクセスする。
【００７３】
１つの実施例において、無線ルータは、移動装置から送信されたアクセス要請メッセージを受信した後、予め設定されたアクセス情報が正しいと特定すると、移動装置にＩＰアドレスプールのうちのＩＰアドレスを割り当てることができ、移動装置は、当該ＩＰに基づいて無線ルータにアクセスすることができる。
【００７４】
ステップ２０７において、無線ルータに要請メッセージを送信する。
【００７５】
１つの実施例において、要請メッセージは、無線ルータが予め設定されたアクセス情報を含む第２のブロードキャスティングメッセージをブロードキャスティングするように指示するために用いられる。
【００７６】
上記の実施例の有益な効果を基礎とした上で、本実施例において、移動装置がアクセス待ちＷＩＦＩ機器から内装されたＷＩＦＩチップを通じて送信された第１のブロードキャスティングメッセージを受信した後に生成したプロンプト情報は、文字プロンプト情報、音声プロンプト情報、光プロンプト情報、振動プロンプト情報のうちのいずれかの１つ以上のプロンプト情報からなるプロンプト情報であってもよく、ユーザがすぐに当該プロンプト情報を処理するように確保することができ、さらに、アクセス待ちＷＩＦＩ機器が無線ネットワークにアクセスする効率を向上させ、ユーザ体験を最適化する。
【００７７】
図３は、１つの例示的な第２の実施例に示される無線ネットワークアクセス方法のフローチャートであり、当該実施例は、無線ルータに適用でき、当該無線ルータは、シングルバンドルータであってもよく、デュアルバンドルータであってもよく、マルチバンドルータであってもよく、本実施例においては、図１Ｂの応用場面に合わせて、アクセス待ちＷＩＦＩ機器が無線ルータにアクセスする場合を例として例示的な説明を行い、図３に示されたように、下記のステップを含む。
【００７８】
ステップ３０１において、移動装置から送信された要請メッセージを受信する。
【００７９】
１つの実施例において、要請メッセージは、無線ルータが予め設定されたアクセス情報を含む第２のブロードキャスティングメッセージをブロードキャスティングするように指示するために用いられる。
【００８０】
ステップ３０２において、要請メッセージに基づいて第２のブロードキャスティングメッセージを生成する。
【００８１】
１つの実施例において、第２のブロードキャスティングメッセージには、予め設定されたアクセス情報が含まれている。
【００８２】
１つの実施例において、予め設定されたアクセス情報は、無線ルータのサービスセット識別子（Ｓｅｒｖｉｃｅ Ｓｅｔ Ｉｄｅｎｔｉｆｉｅｒ，ＳＳＩＤ）、及び無線ルータにアクセスするユーザパスワードであってもよい。例えば、ＳＳＩＤは、ｇｕａｎｇｂｏであり、ユーザパスワードは、１３６８３１６である。
【００８３】
ステップ３０３において、予め設定された送信周波数帯に基づいて第２のブロードキャスティングメッセージを送信して、アクセス待ちＷＩＦＩ機器が第２のブロードキャスティングメッセージに含まれている予め設定されたアクセス情報に基づいて無線ルータにアクセスするようにする。
【００８４】
１つの実施例において、無線ルータは、第２のブロードキャスティングメッセージを生成した後、無線ルータの互換可能なすべての動作周波数帯に基づいて第２のブロードキャスティングメッセージを送信することができ、様々なアクセス待ちＷＩＦＩ機器は、受信したブロードキャスティングメッセージに基づいて無線ルータにアクセスすることができる。
【００８５】
例えば、現在、大部分のローエンドＷＩＦＩ機器が２．４Ｇ動作周波数帯のみをサポートするため、デュアルバンドルータの互換可能な動作周波数帯が２．４Ｇ動作周波数帯と５Ｇ動作周波数帯を含む場合、無線ルータは、同時に２．４Ｇ動作周波数帯と５Ｇ動作周波数帯に基づいて第２のブロードキャスティングメッセージを送信することができ、２．４Ｇ動作周波数帯のみをサポートするアクセス待ちＷＩＦＩ機器は、無線ルータが２．４Ｇ動作周波数帯に基づいて送信するブロードキャスティングメッセージを受信することができ、５Ｇ動作周波数帯のみをサポートするアクセス待ちＷＩＦＩ機器は、無線ルータが５Ｇ動作周波数帯に基づいて送信するブロードキャスティングメッセージを受信することができ、２．４Ｇ動作周波数帯と５Ｇ動作周波数帯で互換可能なアクセス待ちＷＩＦＩ機器は、ランダムに無線ルータが５Ｇ動作周波数帯に基づいて送信するメッセージを受信することができるため、アクセス待ちＷＩＦＩ機器の動作周波数帯が無線ルータの互換可能な動作周波数帯に含まれる場合、アクセス待ちＷＩＦＩ機器は、無線ルータからブロードキャスティングされるメッセージを受信し、さらに、無線ルータにアクセスすることができる。
【００８６】
図１Ｂに示されたように、無線ルータ１３０は、移動装置１１０から送信された要請メッセージを受信した後、第２のブロードキャスティングメッセージを生成し、互換可能なすべての動作周波数帯に基づいて第２のブロードキャスティングメッセージを送信することができ、アクセス待ちＷＩＦＩ機器１２０の動作周波数帯が無線ルータ１３０の互換可能な動作周波数帯に含まれる場合、アクセス待ちＷＩＦＩ機器１２０は、無線ルータ１３０から送信される第２のブロードキャスティングメッセージを受信し、さらに、予め設定されたアクセス情報に基づいて無線ルータ１３０に対するアクセスを要請することができる。
【００８７】
本実施例において、無線ルータは、予め設定された送信周波数帯に基づいて第２のブロードキャスティングメッセージを送信することができ、１つの周波数帯でしか動作できないアクセス待ちＷＩＦＩ機器がデュアルバンドルータから送信されるブロードキャスティングメッセージを受信できない可能性があり、さらに無線ルータにアクセスできなくなる問題を解決する。
【００８８】
図４は、１つの例示的な第３の実施例に示される無線ネットワークアクセス方法のフローチャートであり、本実施例は、本発明の実施例に係る上記の方法を利用して、無線ルータが第２のブロードキャスティングメッセージを送信して、アクセス待ちＷＩＦＩ機器の無線ルータに対するアクセスを実現する場合を例として例示的な説明を行い、図４に示されたように、下記のステップを含む。
【００８９】
ステップ４０１において、移動装置から送信された要請メッセージを受信する。
【００９０】
ステップ４０２において、要請メッセージに基づいて第２のブロードキャスティングメッセージを生成する。
【００９１】
１つの実施例において、第２のブロードキャスティングメッセージには、無線ルータにアクセスする予め設定されたアクセス情報が含まれている。
【００９２】
ステップ４０３において、無線ルータの互換可能な動作周波数帯を予め設定された送信周波数帯として特定する。
【００９３】
例えば、無線ルータが２．４Ｇ動作周波数帯と５Ｇ動作周波数帯で互換可能である場合、予め設定された送信周波数帯は、２．４Ｇ動作周波数帯と５Ｇ動作周波数帯を含む。
【００９４】
ステップ４０４において、予め設定された送信周波数帯に基づいて第２のブロードキャスティングメッセージを送信する。
【００９５】
１つの実施例において、無線ルータが２．４Ｇ動作周波数帯と５Ｇ動作周波数帯で互換可能である場合、２．４Ｇ動作周波数帯と５Ｇ動作周波数帯に基づいて同時に第２のブロードキャスティングメッセージを送信することができ、ブロードキャスティングメッセージに含まれている予め設定されたアクセス情報は、同じである。例えば、予め設定されたアクセス情報は、ＳＳＩＤがｇｕａｎｇｂｏであり、ユーザパスワードが１３６８３１６である。
【００９６】
ステップ４０５において、アクセス待ちＷＩＦＩ機器から送信されたアクセス要請メッセージを受信する。
【００９７】
１つの実施例において、アクセス待ちＷＩＦＩ機器は、無線ルータから送信された第２のブロードキャスティングメッセージを受信した後、メッセージを分析し、要請メッセージに含まれている予め設定されたアクセス情報に基づいて無線ルータにアクセス要請メッセージを送信する。
【００９８】
ステップ４０６において、アクセス待ちＷＩＦＩ機器にＩＰアドレスを割り当てて、アクセス待ちＷＩＦＩ機器がＩＰアドレスに基づいて無線ネットワークにアクセスするようにする。
【００９９】
１つの実施例において、無線ルータは、アクセス待ちＷＩＦＩ機器から送信されたアクセス要請メッセージとローカルの予め設定されたアクセス情報がマッチングすると特定すると、アクセス待ちＷＩＦＩ機器にＩＰアドレスを割り当てることができ、アクセス待ちＷＩＦＩ機器は、当該ＩＰアドレスに基づいて無線ネットワークにアクセスすることができる。
【０１００】
本実施例において、無線ルータの互換可能な動作周波数帯を予め設定された送信周波数帯として特定することによって、無線ルータが互換可能なすべての動作周波数帯に基づいて第２のブロードキャスティングメッセージを送信することを実現することができ、さらに、１つの動作周波数帯のみをサポートするアクセス待ちＷＩＦＩ機器が、無線ルータがアクセス待ちＷＩＦＩ機器の動作周波数帯と異なる送信周波数帯のみに基づいて第２のブロードキャスティングメッセージを送信する場合、アクセス待ちＷＩＦＩ機器が無線ルータにアクセスできない問題を避ける。
【０１０１】
上記の無線ネットワークアクセス方法の実施例に対応して、本発明は、無線ネットワークアクセス装置の実施例をさらに提供する。
【０１０２】
図５は、１つの例示的な実施例に示される無線ネットワークアクセス装置のブロック図であり、移動装置に適用され、図５に示されたように、無線ネットワークアクセス装置は、
アクセス待ちＷＩＦＩ機器から送信された第１のブロードキャスティングメッセージを受信するように構成される第１の受信モジュール５１０と、
第１の受信モジュール５１０により受信された第１のブロードキャスティングメッセージに基づいて、アクセス待ちＷＩＦＩ機器が無線ネットワークに対するアクセスを要請することをユーザにプロンプトするためのプロンプト情報を生成するように構成されるプロンプトモジュール５２０と、
ユーザがプロンプトモジュール５２０により生成されたプロンプト情報に基づいて入力したフィードバック情報が検出されると、無線ルータが予め設定されたアクセス情報を含む第２のブロードキャスティングメッセージをブロードキャスティングするように指示するための要請メッセージを無線ルータに送信するように構成される第１の送信モジュール５３０と、を含む。
【０１０３】
図６は、１つの例示的な実施例に示される別の無線ネットワークアクセス装置のブロック図であり、図６に示されたように、上記の図５に示された実施例を基礎とした上で、１つの実施例において、装置は、
ユーザがプロンプト情報に基づいて物理的なキーボードを通じてトリガーした操作、またはタッチスクリーンを通じて移動装置のユーザインタフェースでトリガーした操作を受信するように構成される第２の受信モジュール５４０と、
第２の受信モジュール５４０により受信された操作に基づいてフィードバック情報を生成するように構成されるフィードバックモジュール５５０と、をさらに含んでもよい。
【０１０４】
１つの実施例において、プロンプトモジュール５２０は、
第１の受信モジュールにより受信された第１のブロードキャスティングメッセージがアクセス待ちＷＩＦＩ機器が無線ネットワークにアクセスしようとすることを指示する場合、プロンプト情報を生成するように構成される生成サブモジュール５２１と、
生成サブモジュール５２１により生成されたプロンプト情報をプッシュするように構成されるプッシュサブモジュール５２２と、を含んでもよい。
【０１０５】
１つの実施例において、プッシュサブモジュール５２２は、
生成サブモジュール５２１により生成されたプロンプト情報が文字プロンプト情報である場合、プロンプト情報を表示するように構成される表示サブモジュール５２２１と、
生成サブモジュール５２１により生成されたプロンプト情報が音声プロンプト情報である場合、音声プロンプト情報を再生するように構成される再生サブモジュール５２２２と、
生成サブモジュール５２１により生成されたプロンプト情報が光プロンプト情報である場合、予め設定された種類の光信号を放出するように構成される放出サブモジュール５２２３と、
生成サブモジュール５２１により生成されたプロンプト情報が振動プロンプト情報である場合、予め設定された周波数に応じて振動指示を発するように構成される振動サブモジュール５２２４と、を含む。
【０１０６】
１つの実施例において、装置は、
移動装置が無線ルータにアクセスしているか否かを特定するように構成される特定モジュール５６０と、
特定モジュール５６０により移動装置が無線ルータにアクセスしていないと特定された場合、移動装置が無線ルータにアクセスし、第１の送信モジュールが無線ルータに要請メッセージを送信するステップを実行するように制御するように構成されるネットワークアクセスモジュール５７０と、をさらに含んでもよい。
【０１０７】
図７は、１つの例示的な実施例に示されるさらに別の無線ネットワークアクセス装置のブロック図であり、無線ルータに適用され、図７に示されたように、無線ネットワークアクセス装置は、
移動装置から送信された要請メッセージを受信するように構成される第３の受信モジュール７１０と、
第３の受信モジュール７１０により受信された要請メッセージに基づいて、無線ルータにアクセスする予め設定されたアクセス情報が含まれている第２のブロードキャスティングメッセージを生成するように構成されるブロードキャスティングモジュール７２０と、
ブロードキャスティングモジュール７２０により生成された第２のブロードキャスティングメッセージを予め設定された送信周波数帯に基づいて送信して、アクセス待ちＷＩＦＩ機器が第２のブロードキャスティングメッセージに含まれている予め設定されたアクセス情報に基づいて無線ルータにアクセスするように構成される第２の送信モジュール７３０と、を含む。
【０１０８】
ここで、二種類以上の予め設定された送信周波数は、異なる動作周波数帯に位置する。
【０１０９】
図８は、１つの例示的な実施例に示されるさらに別の無線ネットワークアクセス装置のブロック図であり、図８に示されたように、上記の図７の実施例を基礎とした上で、１つの実施例において、第２の送信モジュール７３０は、
無線ルータの互換可能な動作周波数帯を予め設定された送信周波数帯として特定するように構成される周波数帯特定サブモジュール７３１と、
周波数帯特定サブモジュール７３１により特定された予め設定された送信周波数帯に基づいて第２のブロードキャスティングメッセージを送信するように構成される送信サブモジュール７３２と、を含んでもよい。
【０１１０】
１つの実施例において、装置は、
アクセス待ちＷＩＦＩ機器から送信された、ブロードキャスティングモジュールにより生成された第２のブロードキャスティングメッセージに含まれている予め設定されたアクセス情報を含むアクセス要請メッセージを受信するように構成される第４の受信モジュール７４０と、
アクセス待ちＷＩＦＩ機器にＩＰアドレスを割り当てて、アクセス待ちＷＩＦＩ機器がＩＰアドレスに基づいて無線ネットワークにアクセスするように構成されるアドレス割り当てモジュール７５０と、をさらに含んでもよい。
【０１１１】
上記装置の各ユニットの機能と作用の実現過程の細部は、上記方法の対応するステップの実現過程を参照すればよく、ここで説明を省略する。
【０１１２】
装置の実施例において、基本的に方法実施例に対応するため、関連する部分については、方法実施例の部分説明を参照すればよい。以上で記述した装置実施例は、ただ例示的なものであり、そのうち、分離部品として説明された上記モジュールは、物理的に分離されているものであってもよく、そうではなくてもよく、ユニットとして示された部品は、物理的なユニットであってもよく、そうではなくてもよい。即ち、同一の場所に位置していてもよく、または複数のネットワークユニットに分布されていてもよい。実際の必要によって、そのうちの一部又は全部のモジュールを選択して本発明の技術案の目的を実現することができる。当業者は、創造性の労働を行わなくても、理解及び実施することができる。
【０１１３】
図９は、１つの例示的な実施例に示される無線ネットワークアクセス装置に適用されるブロック図である。例えば、装置９００は、移動装置、例えばスマートフォン、タブレットＰＣなどであってもよい。
【０１１４】
図９を参照すると、装置９００は、プロセスアセンブリ９０２、メモリ９０４、電源アセンブリ９０６、マルチメディアアセンブリ９０８、オーディオアセンブリ９１０、入出力（Ｉ／Ｏ）インタフェース９１２、センサアセンブリ９１４、及び通信アセンブリ９１６のような１つ或いは複数のアセンブリを含んでもよい。
【０１１５】
プロセスアセンブリ９０２は、一般的には装置９００の全体の動作を制御するものであり、例えば、表示、電話呼び出し、データ通信、カメラ操作、及び記録操作と関連する操作を制御する。プロセスアセンブリ９０２は、１つ以上のプロセッサ９２０を含み、これらによって命令を実行することにより、上記の方法の全部、或は一部のステップを実現するようにしてもよい。なお、プロセスアセンブリ９０２は、１つ以上のモジュールを含んでプロセスアセンブリ９０２と他のアセンブリの間のインタラクションを容易にしてもよい。例えば、プロセスアセンブリ９０２は、マルチメディアモジュールを含んでマルチメディアアセンブリ９０８とプロセスアセンブリ９０２の間のインタラクションを容易にしてもよい。
【０１１６】
メモリ９０４は、各種類のデータを記憶することにより装置９００の動作を支援するように構成される。これらのデータの例は、装置９００において操作されるいずれのアプリケーションプログラム又は方法の命令、メッセージ、画像等を含む。メモリ９０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１１７】
電源アセンブリ９０６は、装置９００の各アセンブリに電力を供給する。電源アセンブリ９０６は、電源管理システム、１つ或いは複数の電源、及び装置９００のための電力の生成、管理、及び割り当てに関連する他のアセンブリを含んでもよい。
【０１１８】
マルチメディアアセンブリ９０８は、上記装置９００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含む場合、スクリーンはタッチスクリーンとして実現されることができ、ユーザからの入力信号を受信することができる。タッチパネルは、１つ以上のタッチセンサを含み、タッチ、スライド、及びタッチパネル上のジェスチャを検出することができる。タッチセンサは、タッチ、或はスライド動作の境界だけでなく、上記タッチ、或はスライド操作に係る継続時間、及び圧力も検出できる。部分実施例において、マルチメディアアセンブリ９０８は、１つのフロントカメラ、及び／又はリアカメラを含む。装置９００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１１９】
オーディオアセンブリ９１０は、オーディオ信号を入出力するように構成される。例えば、オーディオアセンブリ９１０は、１つのマイク（ＭＩＣ）を含み、装置９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりする。部分実施例において、オーディオアセンブリ９１０は、オーディオ信号を出力するための１つのスピーカーをさらに含む。
【０１２０】
Ｉ／Ｏインタフェース９１２は、プロセスアセンブリ９０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２１】
センサアセンブリ９１４は、装置９００に各方面の状態に対する評価を提供するための１つ以上のセンサを含む。例えば、センサアセンブリ９１４は、装置９００のＯＮ／ＯＦＦ状態、装置９００のディスプレイとキーパッドのようなアセンブリの相対的な位置決めを検出できる。また、センサアセンブリ９１４は、装置９００、或いは装置９００の１つのアセンブリの位置変更、ユーザと装置９００とが接触しているか否か、装置９００の方位、又は加速／減速、装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するために、ＣＭＯＳ、又はＣＣＤ画像センサのような光センサを含んでもよい。部分実施例において、当該センサアセンブリ９１４は、加速度センサ、ジャイロスコープセンサ、磁気センサ、圧力センサ、及び温度センサをさらに含んでもよい。
【０１２２】
通信アセンブリ９１６は、装置９００と他の機器の間に有線、又は無線形態の通信を提供する。装置９００は、例えばＷｉＦｉ、２Ｇ、３Ｇ、或はこれらの組み合わせのような、通信規格に基づいた無線ネットワークに接続されてもよい。１つの例示的な実施例において、通信アセンブリ９１６は、放送チャンネルを介して外部の放送管理システムからの放送信号、又は放送に関連する情報を受信する。１つの例示的な実施例において、上記通信アセンブリ９１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１２３】
例示的な実施例において、装置９００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記の方法を実行する。
【０１２４】
例示的な実施例において、命令を含むコンピュータ読取り可能な非一時的な記録媒体、例えば命令を含むメモリ９０４をさらに提供し、装置９００のプロセッサ９２０により上記命令を実行して上記の方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１２５】
無線ルータに適用される構成は、例えば図９に示されたブロック図、及び対応する記述を参照すればよく、ここでは説明を省略する。
【０１２６】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１２７】
本発明は、上記で記述し、図面で図示した特定の構成に限定されず、その範囲を離脱しない状況で、様様な修正と変更を実現できる。本発明の範囲は、添付される特許請求の範囲のみにより限定される。
【図１Ａ】
0006441378.tif 000002
【図１Ｂ】
0006441378.tif 000003
【図２Ａ】
0006441378.tif 000004
【図２Ｂ】
0006441378.tif 000005
【図３】
0006441378.tif 000006
【図４】
0006441378.tif 000007
【図５】
0006441378.tif 000008
【図６】
0006441378.tif 000009
【図７】
0006441378.tif 000010
【図８】
0006441378.tif 000011
【図９】
0006441378.tif 000012